(57)【特許請求の範囲】
【請求項１】
周囲圧より高い内圧に耐えることができるハウジング；
少なくとも１つの概して円形の断面を有し、ハウジングの内側で軸の周りを回転するように構成されており、軸の長さは長手方向を規定し、ハウジングから離隔していてその間に概して環状のプレナムを画定しているロータリードラム；
ロータリードラムと接触するように構成されており、それぞれのシール部材はハウジングとロータリードラムの間の環状プレナムを複数の区域に分離し、シール部材はそれぞれの区域を他の区域から圧力シールするように構成されており、シール部材は概して接線方向及び長手方向に伸長しており、シール部材は少なくとも１つの切除部分を有していて、少なくとも１つの切除部分の概して接線方向における寸法は長手方向の少なくとも一部に沿って変化している少なくとも１つのシール部材；
それぞれの区域内の環状プレナムとハウジングの外側の位置の間で材料を流すことができるように構成されている少なくとも１つの材料の流路；
材料がプレナムと区画の間を流れることができるように構成されており、区画はロータリードラムが回転するにつれて区域のそれぞれを逐次通過して回転するように配置されており、それぞれの区画は少なくとも１つのフィルター部材を有する、ロータリードラムの外表面上の複数の区画；及び
少なくとも１つのフィルター部材と流体連絡している少なくとも１つの濾液出口；
を含むロータリープレッシャーフィルター装置。
【請求項２】
複数の区画は複数の区画の列を含み、それぞれの列は少なくとも２つの区画を有する、請求項１に記載の装置。
【請求項３】
それぞれの列の中の少なくとも２つの区画は、ロータリードラムの外表面上に長手方向に沿って配列されている、請求項２に記載の装置。
【請求項４】
切除部分は、少なくとも１つのテーパーを有していて、切除部分の幅は、１つの部分において長手方向に沿った他の部分におけるよりも狭くなっている、請求項１に記載の装置。
【請求項５】
少なくとも１つのテーパーは、シール部材の実質的に全体の長手方向に伸びる単一のテーパーを含む、請求項４に記載の装置。
【請求項６】
少なくとも１つのテーパーは、複数のテーパーを含む、請求項４に記載の装置。
【請求項７】
少なくとも１つのテーパーは、線形の縁部を含む、請求項４に記載の装置。
【請求項８】
少なくとも１つの切除部分の寸法は、シール部材の一部の厚さのみにわたって長手方向に沿って概して接線方向において変化している、請求項１に記載の装置。
【請求項９】
寸法が変化している切除部分を有するシール部材を有する区域の少なくとも１つは、洗浄区域を含む、請求項１に記載の装置。
【請求項１０】
一体の本体を有し、一体の本体はシール部材の長さ及び幅に沿って伸びる第１の側を有し、シール部材の第２の側は第１の側から離隔していて縁部によって第１の側に接続しており、第１の側と第２の側の間の容積はシール部材の厚さを画定し、第２の側は第１の側に対して湾曲及び凹状になっており、第２の側は円筒形のドラムの表面に対して同一平面に適合するように構成されていて、少なくとも１つの切除部分を含んで、少なくとも１つの切除部分の幅はその長さの少なくとも一部に沿って変化しているシール部材；及び
シール部材を作動させるように構成されており、シール部材をその厚さ方向に動かすように構成されているメカニズム；
を含む、ロータリープレッシャーフィルターのためのシール装置。
【請求項１１】
切除部分は、少なくとも１つのテーパーを有していて、切除部分の幅は、１つの部分において長手方向に沿った他の部分におけるよりも狭くなっている、請求項１０に記載の装置。
【請求項１２】
少なくとも１つのテーパーは、シール部材の実質的に全体の長手方向に伸びる単一のテーパーを含む、請求項１１に記載の装置。
【請求項１３】
少なくとも１つのテーパーは、複数のテーパーを含む、請求項１１に記載の装置。
【請求項１４】
少なくとも１つのテーパーは、線形の縁部を含む、請求項１１に記載の装置。
【請求項１５】
少なくとも１つの切除部分の幅は、シール部材の一部の厚さのみにわたってその長さに沿って変化している、請求項１１に記載の装置。
【請求項１６】
メカニズムは、空気圧装置を含む、請求項１０に記載の装置。
【請求項１７】
請求項１に記載のロータリープレッシャーフィルター装置内で固／液混合物を濾過して、固体生成物をフィルターケーキとして形成し；
ロータリープレッシャーフィルター装置からフィルターケーキを取り出す；
ことを含む、固／液混合物から固体生成物を回収する方法。
【請求項１８】
固／液混合物は、芳香族カルボン酸を含む、請求項１７に記載の方法。
【請求項１９】
固／液混合物は、テレフタル酸を含む、請求項１７に記載の方法。
【請求項２０】
固／液混合物から液体を回収することを更に含む、請求項１９に記載の方法。
【請求項２１】
回収される液体は、溶媒を含む、請求項２０に記載の方法。
【請求項２２】
溶媒は、酢酸を含む、請求項２１に記載の方法。
【請求項２３】
固／液混合物は、精製テレフタル酸を含む、請求項１７に記載の方法。
【発明の詳細な説明】
【技術分野】
【０００１】
[0001]本出願は、２０１５年７月２５日出願の米国仮出願６２／０２９，０６５（その内容はそれらの全部を参照として本明細書中に包含する）の３５ＵＳＣ§１１９（ｅ）に基づく利益を主張する。
【０００２】
[0002]本発明は、概してロータリープレッシャーフィルター装置、特に圧力変動を減少させるように構成されているシール部材を有するロータリープレッシャーフィルター装置に関する。
【背景技術】
【０００３】
[0003]化学、食品、及び医薬産業における多くのプロセスにおいては、１つの材料を他のものから単離するために種々の分離技術が用いられている。液体から固体材料を分離するための通常の技術としては、真空又は加圧濾過、乾燥、遠心分離、沈降、及び浄化が挙げられる。非常に純粋な固体生成物が求められている場合には、分離を多段階で行うことができ、洗浄工程と組み合わせることができる。例えば、上述の技術の１つから回収される固体は、最終的なより純粋な生成物を回収するための他の固液分離技術にかける前に、不純物を除去するために洗浄するか又は更なる液体で再スラリー化することができる。
【０００４】
多段階分離技術はより高純度の固体生成物を与えることができるが、装置において実質的により多くの投資が必要な可能性がある。多段階分離における設備投資を減少させる１つの非常に成功した方法は、ロータリープレッシャーフィルター装置を用いることによるものである。ロータリープレッシャーフィルター装置は、処理される材料を別々の作業区域を通過して前進させることによって、多段階分離技術の１つより多い工程を単体の装置内で実施するように設計されている。例えば、公知のロータリープレッシャーフィルター装置は、フィルター又は供給区域内で濾過を行ってフィルターケーキを形成し、次に１以上の洗浄区域内でフィルターケーキの洗浄を行う。洗浄されたフィルターケーキは、ロータリープレッシャーフィルターから排出する前に乾燥区域内で乾燥することができる。ロータリープレッシャーフィルター装置は当該技術において一般的に知られており、例えば米国特許第２，７４１，３６９号明細書、米国特許第７，８０７，０６０号明細書、及び米国特許出願公開第２００５／００５１４７３号明細書において開示されている。
【先行技術文献】
【特許文献】
【０００５】
【特許文献１】米国特許第２，７４１，３６９号明細書
【特許文献２】米国特許第７，８０７，０６０号明細書
【特許文献３】米国特許出願公開第２００５／００５１４７３号明細書
【発明の概要】
【発明が解決しようとする課題】
【０００６】
[0004]ロータリープレッシャーフィルター装置の複数の区域は異なる圧力で運転される可能性があるので、幾つかのロータリープレッシャーフィルター装置は圧力変動を示しており、これはロータリープレッシャーフィルター装置の能力を低下させ、及びその中のフィルター部材を損傷させる可能性を有している。
【０００７】
[0005]したがって、ロータリープレッシャーフィルター装置を改良して圧力変動を平滑にする必要性が未だ存在する。
【課題を解決するための手段】
【０００８】
[0006]本発明は、フィルター区画が装置内の新しい区域に入る際にフィルター区画をより徐々に開放するのを可能にすることによって、ロータリープレッシャーフィルターにおける圧力変動の問題を解決するものである。その結果、それらは圧力変動の結果として損傷を与える動きを起こす傾向がより少ないので、ロータリープレッシャーフィルター装置においてより大きな能力、並びにフィルター部材の長寿命化が可能になる。
【０００９】
[0007]本発明の一形態によれば、改良された流動特性を有するロータリープレッシャーフィルター装置が提供される。ロータリープレッシャーフィルター装置は、周囲圧より高い内圧に耐えることができるハウジング；少なくとも１つの概して円形の断面を有し、ハウジング壁の内側で軸の周りを回転するように構成されており、軸の長さは長手方向を規定し、ハウジングから離隔していてその間に概して環状のプレナムを画定しているロータリードラム；ロータリードラムと接触するように構成されており、それぞれのシール部材はハウジングとロータリードラムの間の環状プレナムを複数の区域に分離し、シール部材はそれぞれの区域を他の区域から圧力シールするように構成されており、シール部材は概して接線方向及び長手方向に伸長しており、シール部材は少なくとも１つの切除部分を有していて、少なくとも１つの切除部分の概して接線方向における寸法は長手方向の少なくとも一部に沿って変化している少なくとも１つのシール部材；それぞれの区域内の環状プレナムとハウジングの外側の位置の間で材料を流すことができるように構成されている少なくとも１つの材料の流路；材料がプレナムと区画の間を流れることができるように構成されており、区画はロータリードラムが回転するにつれて区域のそれぞれを逐次通過して回転するように配置されており、それぞれの区画は少なくとも１つのフィルター部材を有する、ロータリードラムの外表面上の複数の区画；及び、少なくとも１つのフィルター部材と流体連絡している少なくとも１つの濾液出口；を含む。本発明の他の形態によれば、固／液混合物から固体生成物、又は液体、或いは両方を回収するプロセスにおいて、上記のロータリープレッシャーフィルター装置を用いる。
【００１０】
[0008]本発明の他の形態によれば、ロータリープレッシャーフィルターのためのシール装置が提供される。シール装置は、一体の本体、ここで一体の本体はシール部材の長さ及び幅に沿って伸びる第１の側を有し、シール部材の第２の側は第１の側から離隔していて縁部によって第１の側に接続しており、第１の側と第２の側の間の容積はシール部材の厚さを画定し、第２の側は第１の側に対して湾曲及び凹状になっており、第２の側は円筒形のドラムの表面に対して同一平面に適合(fit flush)するように構成されており、第２の側は少なくとも１つの切除部分を有して、シールの幅はその長さの少なくとも一部に沿って変化しており；及び、シール部材を作動させるように構成されており、シール部材をその厚さ方向に動かすように構成されているメカニズム；を有する。
【００１１】
[0009]本発明の他の形態は、以下の記載を考慮すれば明らかになるであろう。
【図面の簡単な説明】
【００１２】
【図１】[0010]図１は、本発明の一態様によるロータリープレッシャーフィルター装置の側面から見た断面図を示す。
【図２】[0011]図２は、本発明の一態様によるロータリープレッシャーフィルターの正面から見た断面図を示す。
【図３】[0012]図３は、本発明の一態様において用いるためのロータリードラム及びシール部材の一部の分解斜視図を示す。
【図４】[0013]図４は、本発明の一態様において用いるためのシール部材の斜視図を示す。
【図５】[0014]図５ａは、図４のシール部材の断面を示す。[0015]図５ｂは、図４のシール部材の他の断面を示す。
【図６】[0016]図６は、本発明によるシール部材の他の態様の斜視図を示す。
【図７】[0017]図７は、本発明によるシール部材の他の態様の斜視図を示す。
【図８】[0018]図８は、本発明によるシール部材の他の態様の斜視図を示す。
【発明を実施するための形態】
【００１３】
[0019]概略紹介として、本発明は、複数の逐次作業区域で固液混合物を処理するためのロータリープレッシャーフィルター装置に関する。ロータリープレッシャーフィルター装置は当該技術において一般的に知られており、例えば米国特許第２，７４１，３６９号明細書、米国特許第７，８０７，０６０号明細書、及び米国特許出願公開第２００５／００５１４７３号明細書において開示されている。
【００１４】
[0020]幾つかの態様においては、ロータリープレッシャーフィルター装置は、固／液混合物から固体生成物、又は液体、或いは両方を回収するために用いられる。幾つかの態様においては、固体生成物は医薬又は食物成分製品である。他の態様においては、固体生成物は化学物質、又は特に石油化学物質である。幾つかの態様においては、生成物はパラキシレンのような芳香族炭化水素である。他の態様においては、生成物はテレフタル酸のような芳香族カルボン酸である。
【００１５】
[0021]ここで図１を参照すると、本発明の一態様によるロータリープレッシャーフィルター装置の長手方向の断面が概して１００で示されている。ロータリープレッシャーフィルター装置１００は正圧下で運転して、固液混合物から液体を濾過及び除去し、固体生成物を更なる処理のために回収する。
【００１６】
[0022]ロータリープレッシャーフィルター装置１００は、周囲圧よりも高い内圧に耐えることができる固定ハウジング１０２を含む。ハウジング１０２はフレーム１０４上に搭載されている。ハウジング１０２の内側に、ロータリードラム１０６が配される。図２に示すように、ロータリードラム１０６は、約０．４ｒｐｍ〜２ｒｐｍの速度、幾つかの態様においては約０．８ｒｐｍ〜１．５ｒｐｍの速度で、軸１１０（図１）の周りを矢印１０８によって示されるように回転する。軸１１０は、ロータリードラム１０６及びロータリープレッシャーフィルター装置１００の長手方向を規定する。ロータリードラム１０６は、これもフレーム１０４上に搭載されている駆動メカニズム１１２によって駆動される。シャフト１１４によって、駆動メカニズム１１２がロータリードラム１０６の制御ヘッド部分１１６に接続されている。
【００１７】
[0023]ここで図２を参照すると、ロータリードラム１０６の表面はハウジング１０２の内側から離れていて、概して環状のプレナム１１８がその間に形成されている。入口及び出口配管のような材料の流路１２０ａ、１２０ｂ、１２０ｃ、１２０ｄ、及び１２０ｅは、環状プレナム１１８とハウジング１０２の外側の位置の間で材料を流すように構成されている。
【００１８】
[0024]１以上のシール部材１２２ａ、１２２ｂ、１２２ｃ、１２２ｄ、１２２ｅは、ロータリードラム１０６と接触して、環状プレナム１１８を複数の区域１２４ａ、１２４ｂ、１２４ｃ、１２４ｄ、１２４ｅに分割するように構成されている。シール部材１２２は、一般に、区域１２４を互いから圧力シールするが、ロータリードラム１０６が今なお回転できるのに十分な圧力でロータリードラムと接触している。シール部材１２２は、それぞれ、部材１２２がロータリードラム１０６に対して半径方向に力を加えるように構成されている作動メカニズムを含むシール装置１２６の一部である。示されている態様においては、作動メカニズムは、プレナム１３０中に気体を導入してそれぞれのシール部材１２２の外表面に対して押圧力を加えるための入口１２８を含む空気圧装置である。空気圧装置によって加える好適な押圧力としては、ロータリープレッシャーフィルター装置１００の区域１２４ａ〜１２４ｅのいずれかにおける最も高い圧力よりも約０．８ｂａｒ〜２．０ｂａｒ高い圧力が挙げられる。当業者であれば、空気圧装置に代えて他の作動メカニズムを用いることができることを認識するであろう。
【００１９】
[0025]ここで図３を参照すると、ロータリードラム１０６の外表面又は外周の周りに複数の区画１３２が配列されていて、ロータリードラム１０６と共に回転する。区画１３２は、それぞれ、ロータリードラムに隣接するフィルター部材１３４（図３においては１つの区画において示している）を含む。幾つかの態様においては、フィルター部材はフィルターハウジング（図示せず）内で金属スクリーン上に支持されている濾布を含む。幾つかの態様においては、濾布は、ポリエーテルエーテルケトン（ＰＥＥＫ）ポリマー又はポリビニリデンジフルオリド（ＰＶＤＦ）ポリマーから製造される。それぞれの区画１３２はまた、それに付随して対応する出口管１３６も有していて、これもロータリードラム１０６及び区画１３２と共に回転する。出口管１３６は、それぞれの区画１３２に受容された濾液が、ロータリードラム１０６に隣接するその対応するフィルター部材１３４を通過して、その対応する出口管１３６中に流れるように構成されている。出口管１３６は区画１３２から濾液を取り出して、濾液を制御ヘッド１１６に送り、ここで更なる配管（図示せず）を通して回収して、ロータリープレッシャーフィルター装置１００から取り出す。
【００２０】
[0026]区画１３２はロータリードラム１０６と共に回転し、したがって区域１２４ａ、１２４ｂ、１２４ｃ、１２４ｄ、１２４ｅのそれぞれを逐次通過して進む。示されている態様においては、区画１３２は長手方向１１０に沿って４列で配列されている。当業者であれば、区画の他の構造も同様に好適であることを認識するであろう。
【００２１】
[0027]運転においては、固液混合物を含む加圧された供給流を供給流入口材料の流路１２０ａ中に導入して、供給区域１２４ａとして示される第１の区域内のプレナム１１８中に導入する。固液混合物は区画１３２中に分配される。幾つかの態様においては、供給区域内の圧力は、約３ｂａｒ（ｇ）〜約７ｂａｒ（ｇ）、幾つかの態様においては５ｂａｒ（ｇ）〜６ｂａｒ（ｇ）に維持する。区画１３２と出口管１３６の間で、及び区画内のフィルター部材１３４を横切って保持される圧力差の結果として、固液混合物の液体はフィルター部材１３４を通って出口管１３６中に送られる。かくして、濾液が出口管１３６を通ってロータリープレッシャーフィルター装置１００から排出される。固液混合物の固体成分は、フィルターケーキの形態でフィルター部材１３４上に残留する。
【００２２】
[0028]ロータリードラム１０６が回転して洗浄区域として示される次の区域１２４ｂに進むと、洗浄液がプレナム１１８中に導入され、区画１３２中に分配され、フィルター部材１３４上に残留しているケーキは洗浄される。幾つかの態様においては、洗浄液は、フィルターケーキ１ｋｇあたり約０．５ｋｇ〜約１．５ｋｇの洗浄液の比率で導入される。洗浄液は出口管１３６によって取り出される。示されている態様においては、ロータリードラムは回転して次に第２の洗浄区域１２４ｃに進んで、ここで更なる洗浄液が第２の洗浄区域として示される区域１２４ｃ中に導入されて、フィルター部材１３４上のケーキは再度洗浄される。
【００２３】
[0029]洗浄液は、最終固体生成物を回収するためのフィルターケーキの更なる処理を妨げないでフィルターケーキから不純物が除去されるように選択される。一態様においては、洗浄液は水を含む。他の態様においては、洗浄液は統合プロセスの他の部分からの濃縮液を含む。
【００２４】
[0030]ロータリードラム１０６は回転し続けて乾燥区域に入り、ここで高温の不活性乾燥ガスがプレナム１１８中に導入されて、フィルター部材１３４上のフィルターケーキは乾燥される。ロータリードラムがその回転を完了すると、乾燥されたフィルターケーキは、重力によって区画１３２から生成物シュートとして示される材料の流路１２０ｅ中に落下する。区画１３２が区域を通過して次のサイクルに進む前に、区画１３２のフィルター部材を清浄にするために、入口１２１を通してすすぎ溶液を注入することができる。
【００２５】
[0031]当業者であれば、本発明にしたがってロータリープレッシャーフィルター装置１００の他の構造を用いることができることを認識するであろう。例えば、ロータリープレッシャーフィルター装置１００に、複数の濾過区域及び複数の洗浄区域を含ませることができる。一態様においては、例えば同じ譲受人に譲渡された米国特許出願第６１／９２２，２４７号明細書において開示されているように、ロータリープレッシャーフィルター装置は乾燥区域を含まない。
【００２６】
[0032]本発明によるシール部材１２２は、区画１３２が新しい区域に入る際に区画１３２をよりゆっくりと開放することを可能にするように設計されている。これは、区画１３２が区域を通過して回転するにつれて、区画１３２の小さい部分のみ、次に時間と共に徐々により大きな部分が新しい区域に曝されることを可能にするようにシール部材１２２を構成することによって達成される。したがって、シール部材１２２は、具体的には、区画がシール部材を通過してそれぞれ異なる圧力に維持されている可能性がある新しい区域に進む際に圧力変動を減少させるように設計される。区域間の圧力差は、例えば約２ｂａｒ〜約６ｂａｒであってよい。減少した圧力変動によって、流体を区画１３２により迅速に導入して、これによってロータリープレッシャーフィルター装置１００の能力を増加させることが可能である。更に、フィルター部材１３４は、減少した圧力変動に伴って動きをより少なくして、それによって更にフィルター部材１３４のより長い寿命の可能性を与えるように示されている。
【００２７】
[0033]本発明の一態様によるシール部材１２２を、図４、５ａ、５ｂに示す。シール部材１２２は、好ましくは金属又はポリマー材料から製造され、長さ方向２２６及び幅方向２２８に沿って伸長する一体の本体２３４を有する。長さ方向はロータリードラム１０６の長手方向１１０（図１）と同じであり、幅方向はロータリードラム１０６に対して概して接線方向と同じである。シール部材１２２の第１の側２３０（図５ａ及び５ｂ）は概して平面状である。シール部材１２２の第２の側２３２は、第１の側から離隔していて、縁部２３４によって第１の側に接続されており、第１の側と第２の側の間の容積は、ロータリードラム１０６の半径方向におけるシール部材の厚さ２３６を画定する。第２の側２３２は第１の側２３０に対して湾曲及び凹状になっており、ロータリープレッシャーフィルター装置１００のロータリードラム１０６のような円筒形のドラムの表面に対して同一平面に適合するように構成されている。
【００２８】
[0034]シール部材１２２は、その長さの少なくとも１つの部分に沿ってその幅が変化する切除部分２４０を含む。図１〜５ｂに示す態様においては、切除部分はテーパー状になっていて、幅が１つの部分において長手方向の他の部分におけるよりも狭くなっている。テーパーは線形の縁部２４２を有し、シール部材の実質的に全体の長手方向に伸びる単一のテーパーである。示される態様においては、切除部分２４０は、シール部材１２２の一部の厚さ２３６のみにわたってその長さ方向に沿ってその幅が変化しており、これによって切除部分２４０の周囲のシール部材１２２に関するより大きな強度が可能になる。区画１３２がシール部材１２２を通過する際に切除部分２４０によって区画の一部のみと流体連絡することが可能になり、その部分はロータリードラム１０６が回転し続けるにつれて寸法が時間と共に徐々に増加するので、切除部分２４０によって区画１３２を上流の区域内における圧力に対してより徐々に開放して導入することが可能になる。この漸次的な開放によって、区画１３２内の材料の圧力変動が減少する。
【００２９】
[0035]図６は、本発明によるシール部材１２２の別の態様を示す。この態様においては、シール部材は鋸歯構造の複数の切除部分２４２を有している。切除部分２４２のそれぞれはテーパー状の縁部２４４を有していて、その長さの少なくとも一部に沿ってその幅が変化している。
【００３０】
[0036]図７は、本発明によるシール部材１２２の別の態様を示す。この態様においては、シール部材は、概して中心の頂点２５４を有する２つの対向テーパー状の縁部を有する単一の切除部分２５０を有していて、切除部分２５０はその長さの少なくとも一部に沿ってその幅が変化している。
【００３１】
[0037]図８は、本発明によるシール部材１２２の別の態様を示す。この態様においては、シール部材１２２は複数の切除部分２６０を有し、それぞれの切除部分は湾曲した縁部２６２を有していて、それぞれの切除部分はその長さの少なくとも一部にそってその幅が変化している。
【００３２】
[0038]当業者であれば、区画が回転してシール部材１２２を通過して新しい区域に入る際に区画１３２を徐々に開放するのに好適である切除部分の他の構造を認識するであろう。
[0039]幾つかの態様においては、シール部材１２２のそれぞれが切除部分２４０を有していてよい。他の態様においては、シール部材の一部のみが切除部分を有する。例えば、図２に示す態様においては、洗浄区域１２４ｂ、１２４ｃに入るシール部材１２２ｂ、１２２ｃのみが切除部分を有している。
【００３３】
[0040]ロータリープレッシャーフィルター装置１００は、種々の分離プロセスにおいて用いることができる。幾つかの態様においては、ロータリープレッシャーフィルター装置１００は、固／液混合物から固体生成物、又は液体、或いは両方を回収するために用いる。固体は、フィルター部材１３４上に形成されるフィルターケーキとして装置から回収される。濾液は出口管１３６を通して回収される。一態様においては、固体は、芳香族カルボン酸のような石油化学物質である。
【００３４】
[0041]１つの特定の態様においては、固体生成物は粗テレフタル酸生成物であり、液体は酢酸を含む溶媒を含む。粗テレフタル酸は、材料の流路１２０ｅから排出されるフィルターケーキとして回収される。溶媒は、出口管１３６から排出される濾液として回収される。
【００３５】
[0042]他の特定の態様においては、固体生成物は精製テレフタル酸生成物であり、液体は水を含む。精製テレフタル酸は、材料の流路１２０ｅから排出されるフィルターケーキとして回収される。水は、出口管１３６から排出される濾液として回収される。
【００３６】
[0043]上記の詳細な説明及び添付の図面は説明及び例示の目的で与えるものであり、添付の特許請求の範囲を限定することは意図しない。ここに示す現在好ましい態様における多くのバリエーションは、当業者に明らかであり、添付の特許請求の範囲及びそれらの均等範囲内に包含される。
【００３７】
[0044]添付の特許請求の範囲において示す部材及び特徴を異なるように組み合わせて、これも同様に本発明の範囲内に含まれる新しい請求項を形成することができると理解すべきである。而して、下記の添付の従属請求項は単一の独立請求項又は従属請求項のみに従属しているが、これらの従属請求項は、或いは代わりに任意の先行する請求項（独立請求項であっても従属請求項であっても）に従属させることができ、かかる新しい組合せは本発明の一部を形成すると理解されることを理解すべきである。
【図１】
0006691102.tif 000002
【図２】
0006691102.tif 000003
【図３】
0006691102.tif 000004
【図４】
0006691102.tif 000005
【図５ａ】
0006691102.tif 000006
【図５ｂ】
0006691102.tif 000007
【図６】
0006691102.tif 000008
【図７】
0006691102.tif 000009
【図８】
0006691102.tif 000010